(57)【要約】【課題】  発信側端末からの切断時に中継サーバからの指示による呼び返し処理を可能とし、ＩＰ電話端末の回線リソースを中継サーバ側で確保でき、もって緊急通報の通話を切れないようにすることが可能な、ＩＰ電話における呼び返しシステムを提供する。【解決手段】  発信側と受信側のそれぞれのＩＰアドレス間に第１の接続セッションを確立するためのＩＰ電話中継サーバと、発信側からの切断要求信号の受信に基づき第１の接続セッションを留保するための接続セッション留保手段と、接続セッション留保手段の留保に基づいて受信側に対し発信側への発信指示を行う発信指示手段と、発信指示に基づく発信により発信側と受信側との間で新たに第２の接続セッションを確立し第１の接続セッションを切断するセッション切替手段と、受信側の切断要求信号に基づいて第２の接続セッションを切断するセッション切断手段と、を備える。【選択図】      図１
2005286638.tif 000002
【特許請求の範囲】
【請求項１】
ＩＰネットワーク上の複数のＩＰアドレス間で接続セッションを確立して通話を行うＩＰ電話の前記通話を切断した発信側を受信側が呼び返すためのＩＰ電話における呼び返しシステムであって、
前記発信側と前記受信側のそれぞれのＩＰアドレス間に第１の接続セッションを確立するためのＩＰ電話中継サーバと、
前記発信側からの切断要求信号の受信に基づき前記第１の接続セッションを留保するための接続セッション留保手段と、
前記接続セッション留保手段の前記留保に基づいて前記受信側に対し前記発信側への発信指示を行う発信指示手段と、
前記発信指示に基づく発信により前記受信側と前記発信側との間で新たに第２の接続セッションを確立し前記第１の接続セッションを切断するセッション切替手段と、
前記受信側の切断要求信号に基づいて前記第２の接続セッションを切断するセッション切断手段と、
を備えることを特徴とするＩＰ電話における呼び返しシステム。
【請求項２】
ＩＰネットワークを介して通話を行うＩＰ電話より発信された通話を、加入電話回線網を介した通話を行う加入電話にて受信する通話において、前記通話を切断した前記発信側を前記受信側が呼び返すためのＩＰ電話における呼び返しシステムであって、
前記ＩＰネットワークと前記加入電話回線網とを接続するための接続手段と、
前記発信側のＩＰアドレスと前記接続手段との間に第１の接続セッションを確立するためのＩＰ電話中継サーバと、
前記第１の接続セッションの確立に基づき前記接続手段と前記加入電話との接続回線を確保する回線確保手段と、
前記発信側からの切断要求信号の受信に基づき前記第１の接続セッションを留保するための接続セッション留保手段と、
前記接続セッション留保手段の前記留保に基づいて前記接続手段に対し前記発信側への発信指示を行う発信指示手段と、
前記発信指示に基づく発信により前記接続手段と前記発信側との間で新たに第２の接続セッションを確立し前記第１の接続セッションを切断するセッション切替手段と、
前記加入電話側の切断要求信号に基づいて前記接続回線と前記第２の接続セッションとを共に切断するセッション切断手段と、
を備えることを特徴とするＩＰ電話における呼び返しシステム。
【請求項３】
前記接続手段は、
すくなくとも、前記ＩＰネットワークにて前記通話のための通話データを前記加入電話網に流通可能なデータ形式に変換して前記加入電話網へ接続するためのＩＰ電話メディア変換機と、
前記ＩＰ電話メディア変換機から出力された前記データ形式を受信し前記加入電話網に流通させるための関門交換機と、
から構成されていることを特徴とする請求項２に記載のＩＰ電話における呼び返しシステム。
【請求項４】
ＩＰネットワーク上の複数のＩＰアドレス間で接続セッションを確立して通話を行うＩＰ電話の前記通話を切断した発信側を受信側が呼び返すためのＩＰ電話における呼び返し方法であって、
前記発信側と前記受信側のそれぞれのＩＰアドレス間に第１の接続セッションを確立するためのＩＰ電話中継サーバにより前記第１の接続セッションを確立するステップと、
前記発信側からの切断要求信号の受信に基づき前記第１の接続セッションを留保するための接続セッション留保手段により前記第１の接続セッションを留保するステップと、
前記接続セッション留保手段の前記留保に基づいて前記受信側に対し前記発信側への発信指示を行う発信指示手段により前記受信側に対し前記発信側への前記発信指示を行うステップと、
前記発信指示に基づく発信により前記受信側と前記発信側との間で新たに第２の接続セッションを確立し前記第１の接続セッションを切断するセッション切替手段により前記第２の接続セッションを確立し前記第１の接続セッションを切断するステップと、
前記受信側の切断要求信号に基づいて前記第２の接続セッションを切断するセッション切断手段により前記第２の接続セッションを切断するステップと、
を備えることを特徴とするＩＰ電話における呼び返し方法。
【請求項５】
ＩＰネットワークを介して通話を行うＩＰ電話より発信された通話を、加入電話回線網を介した通話を行う加入電話にて受信する通話において、前記通話を切断した前記発信側を前記受信側が呼び返すためのＩＰ電話における呼び返し方法であって、
前記ＩＰネットワークと前記加入電話回線網とを接続するための接続手段により前記ＩＰネットワークと前記加入電話回線網とを接続するステップと、
前記発信側のＩＰアドレスと前記接続手段との間に第１の接続セッションを確立するためのＩＰ電話中継サーバにより前記第１の接続セッションを確立するステップと、
前記第１の接続セッションの確立に基づき前記接続手段と前記加入電話との接続回線を確保する回線確保手段により前記接続手段と前記加入電話との前記接続回線を確保するステップと、
前記発信側からの切断要求信号の受信に基づき前記第１の接続セッションを留保するための接続セッション留保手段により前記第１の接続セッションを留保するステップと、
前記接続セッション留保手段の前記留保に基づいて前記接続手段に対し前記発信側への発信指示を行う発信指示手段により前記受信側に対し前記発信側への前記発信指示を行うステップと、
前記発信指示に基づく発信により前記接続手段と前記発信側との間で新たに第２の接続セッションを確立し前記第１の接続セッションを切断するセッション切替手段により前記第２の接続セッションを確立し前記第１の接続セッションを切断するステップと、
前記加入電話側の切断要求信号に基づいて前記接続回線と前記第２の接続セッションとを共に切断するセッション切断手段により前記接続回線と前記第２の接続セッションとを共に切断するステップと、
を備えることを特徴とするＩＰ電話における呼び返し方法。
【請求項６】
前記接続手段は、
すくなくとも、前記ＩＰネットワークにて前記通話のための通話データを前記加入電話網に流通可能なデータ形式に変換して前記加入電話網へ接続するためのＩＰ電話メディア変換機により前記ＩＰネットワークと前記加入電話網とが前記接続されるステップと、
前記ＩＰ電話メディア変換機から出力された前記データ形式を受信し前記加入電話網に流通させるための関門交換機により前記ＩＰ電話メディア変換機から出力された前記データ形式を受信し前記加入電話網に流通させるステップと、
から構成されていることを特徴とする請求項５に記載のＩＰ電話における呼び返し方法。
【請求項７】
ＩＰネットワーク上の複数のＩＰアドレス間で接続セッションを確立して通話を行うＩＰ電話の前記通話を切断した発信側を受信側が呼び返すためのＩＰ電話における呼び返しプログラムであって、
前記発信側と前記受信側のそれぞれのＩＰアドレス間に第１の接続セッションを確立するためのＩＰ電話中継サーバにより前記第１の接続セッションを確立するステップと、
前記発信側からの切断要求信号の受信に基づき前記第１の接続セッションを留保するための接続セッション留保手段により前記第１の接続セッションを留保するステップと、
前記接続セッション留保手段の前記留保に基づいて前記受信側に対し前記発信側への発信指示を行う発信指示手段により前記受信側に対し前記発信側への前記発信指示を行うステップと、
前記発信指示に基づく発信により前記受信側と前記発信側との間で新たに第２の接続セッションを確立し前記第１の接続セッションを切断するセッション切替手段により前記第２の接続セッションを確立し前記第１の接続セッションを切断するステップと、
前記受信側の切断要求信号に基づいて前記第２の接続セッションを切断するセッション切断手段により前記第２の接続セッションを切断するステップと、
を備えることを特徴とするＩＰ電話における呼び返しプログラム。
【請求項８】
ＩＰネットワークを介して通話を行うＩＰ電話より発信された通話を、加入電話回線網を介した通話を行う加入電話にて受信する通話において、前記通話を切断した前記発信側を前記受信側が呼び返すためのＩＰ電話における呼び返しプログラムであって、
前記ＩＰネットワークと前記加入電話回線網とを接続するための接続手段により前記ＩＰネットワークと前記加入電話回線網とを接続するステップと、
前記発信側のＩＰアドレスと前記接続手段との間に第１の接続セッションを確立するためのＩＰ電話中継サーバにより前記第１の接続セッションを確立するステップと、
前記第１の接続セッションの確立に基づき前記接続手段と前記加入電話との接続回線を確保する回線確保手段により前記接続手段と前記加入電話との前記接続回線を確保するステップと、
前記発信側からの切断要求信号の受信に基づき前記第１の接続セッションを留保するための接続セッション留保手段により前記第１の接続セッションを留保するステップと、
前記接続セッション留保手段の前記留保に基づいて前記接続手段に対し前記発信側への発信指示を行う発信指示手段により前記受信側に対し前記発信側への前記発信指示を行うステップと、
前記発信指示に基づく発信により前記接続手段と前記発信側との間で新たに第２の接続セッションを確立し前記第１の接続セッションを切断するセッション切替手段により前記第２の接続セッションを確立し前記第１の接続セッションを切断するステップと、
前記加入電話側の切断要求信号に基づいて前記接続回線と前記第２の接続セッションとを共に切断するセッション切断手段により前記接続回線と前記第２の接続セッションとを共に切断するステップと、
を備えることを特徴とするＩＰ電話における呼び返しプログラム。
【請求項９】
前記接続手段は、
すくなくとも、前記ＩＰネットワークにて前記通話のための通話データを前記加入電話網に流通可能なデータ形式に変換して前記加入電話網へ接続するためのＩＰ電話メディア変換機により前記ＩＰネットワークと前記加入電話網とが前記接続されるステップと、
前記ＩＰ電話メディア変換機から出力された前記データ形式を受信し前記加入電話網に流通させるための関門交換機により前記ＩＰ電話メディア変換機から出力された前記データ形式を受信し前記加入電話網に流通させるステップと、
から構成されていることを特徴とする請求項８に記載のＩＰ電話における呼び返しプログラム。
【請求項１０】
前記ＩＰネットワーク上に配置されたサーバにインストールされて実行可能なことを特徴とする請求項７〜９のいずれかに記載のＩＰ電話における呼び返しプログラム。
【請求項１１】
ＩＰネットワーク上の複数のＩＰアドレス間で接続セッションを確立して通話を行うＩＰ電話の前記通話を切断した発信側を受信側が呼び返すためのＩＰ電話における呼び返しプログラムを記録した記録媒体であって、
前記発信側と前記受信側のそれぞれのＩＰアドレス間に第１の接続セッションを確立するためのＩＰ電話中継サーバにより前記第１の接続セッションを確立するステップと、
前記発信側からの切断要求信号の受信に基づき前記第１の接続セッションを留保するための接続セッション留保手段により前記第１の接続セッションを留保するステップと、
前記接続セッション留保手段の前記留保に基づいて前記受信側に対し前記発信側への発信指示を行う発信指示手段により前記受信側に対し前記発信側への前記発信指示を行うステップと、
前記発信指示に基づく発信により前記受信側と前記発信側との間で新たに第２の接続セッションを確立し前記第１の接続セッションを切断するセッション切替手段により前記第２の接続セッションを確立し前記第１の接続セッションを切断するステップと、
前記受信側の切断要求信号に基づいて前記第２の接続セッションを切断するセッション切断手段により前記第２の接続セッションを切断するステップと、
を備えることを特徴とするＩＰ電話における呼び返しプログラムを記録した記録媒体。
【請求項１２】
ＩＰネットワークを介して通話を行うＩＰ電話より発信された通話を、加入電話回線網を介した通話を行う加入電話にて受信する通話において、前記通話を切断した前記発信側を前記受信側が呼び返すためのＩＰ電話における呼び返しプログラムを記録した記録媒体であって、
前記ＩＰネットワークと前記加入電話回線網とを接続するための接続手段により前記ＩＰネットワークと前記加入電話回線網とを接続するステップと、
前記発信側のＩＰアドレスと前記接続手段との間に第１の接続セッションを確立するためのＩＰ電話中継サーバにより前記第１の接続セッションを確立するステップと、
前記第１の接続セッションの確立に基づき前記接続手段と前記加入電話との接続回線を確保する回線確保手段により前記接続手段と前記加入電話との前記接続回線を確保するステップと、
前記発信側からの切断要求信号の受信に基づき前記第１の接続セッションを留保するための接続セッション留保手段により前記第１の接続セッションを留保するステップと、
前記接続セッション留保手段の前記留保に基づいて前記接続手段に対し前記発信側への発信指示を行う発信指示手段により前記受信側に対し前記発信側への前記発信指示を行うステップと、
前記発信指示に基づく発信により前記接続手段と前記発信側との間で新たに第２の接続セッションを確立し前記第１の接続セッションを切断するセッション切替手段により前記第２の接続セッションを確立し前記第１の接続セッションを切断するステップと、
前記加入電話側の切断要求信号に基づいて前記接続回線と前記第２の接続セッションとを共に切断するセッション切断手段により前記接続回線と前記第２の接続セッションとを共に切断するステップと、
を備えることを特徴とするＩＰ電話における呼び返しプログラムを記録した記録媒体。
【請求項１３】
前記接続手段は、
すくなくとも、前記ＩＰネットワークにて前記通話のための通話データを前記加入電話網に流通可能なデータ形式に変換して前記加入電話網へ接続するためのＩＰ電話メディア変換機により前記ＩＰネットワークと前記加入電話網とが前記接続されるステップと、
前記ＩＰ電話メディア変換機から出力された前記データ形式を受信し前記加入電話網に流通させるための関門交換機により前記ＩＰ電話メディア変換機から出力された前記データ形式を受信し前記加入電話網に流通させるステップと、
から構成されていることを特徴とする請求項１２に記載のＩＰ電話における呼び返しプログラムを記録した記録媒体。
【請求項１４】
前記ＩＰネットワーク上に配置されたサーバにインストールされて実行可能なことを特徴とする請求項１１〜１３のいずれかに記載のＩＰ電話における呼び返しプログラムを記録した記録媒体。
【発明の詳細な説明】
【技術分野】
【０００１】
本発明は、ＩＰ電話を用いた緊急電話の接続において、受信者側から発信側へ呼び返しを行うためのＩＰ電話における呼び返しシステムおよび方法、プログラムおよび記録媒体に関する。
【背景技術】
【０００２】
従来の通話に関して実用化されている技術として、物理的な通信線により構成された回線網を介して通話を行う、加入電話網による電話回線が広く活用されている。また、近年においては、インターネットの発達に伴いＩＰ（Internet Protocol）網を利用した通話技術としてＩＰ（Internet Protocol）電話システムも実用化されて利用されている。ＩＰ電話システムでの通話は、既存の加入電話網のように回線という物理的な接続で確立されるのではなく、ＩＰ網上の論理的なセッションと呼ばれる仮想的な接続で通話が確立されている。
【０００３】
こうしたＩＰ電話システムについての技術的な規格などの記載は、インターネット上で開発されるさまざまな新しい技術の標準化を促進するために設立されたコンソシアムであるＩＥＴＦ（Internet Engineering Task Force）がドキュメントとして発行している。このドキュメントとしては、ＲＦＣ（Requests For Comment）として知られる文書のＲＦＣ３２６１（ＲＦＣ２５４３）、ＲＦＣ３３９８などが知られている。
【０００４】
さらに、従来の加入電話網での緊急通報においては、交換機で回線を留保することにより、たとえ発信側から切断されたとしても、緊急通報の受付台側から発信側へ呼び返して接続を保障するシステムとなっている。この緊急通報に関する機能は、社会的にも大変重要な位置付けがされており、加入電話網での緊急通報システムの整備はもちろんのこと、ＩＰ電話システムにおいても、この緊急通報システムの整備が要求されている。
【０００５】
ここで、従来の加入電話網とＩＰ電話システムとの構成の比較を行う。まず、図５に示すように既存の加入者電話網は、加入電話端末１００、１０４と、加入者交換機１０１、１０３と、中継交換機１０２と、電話回線１１０から構成されている。ここで、緊急通報を扱う受付台１０５に接続される通話は、図６に示すように加入電話端末１００から加入者交換機１０１と、中継交換機１０２と、受付台１０５を収容する加入者交換機１０３とを経て受付台１０５に接続される。この緊急通報の接続の際においては、加入電話端末１００で通話を切っても受付台１０５までの回線を保持する「回線留保機能」や、加入電話端末１００側で通話を切断した緊急通報通報者を再び呼び出せる「再呼び出し機能」などが用意されている。
【０００６】
このうち、「回線留保機能」では、加入者交換機１０１と中継交換機１０２とにおいて、緊急通報呼である通話に関しては、発信側である加入電話端末１００からの切断信号を受けても、電話回線１１０を開放することせずに電話回線１１０を留保して、受付台１０５側からの切断信号によってのみ電話回線１１０を開放する機能である。
【０００７】
この開放されずに留保されている電話回線１１０に対して、受付台１０５から加入者交換機１０１に対して再呼び出しを指示することで、通話を切った加入電話端末１００を呼び出すことができる機能が「再呼び出し機能」である。このとき電話回線１１０が「回線留保機能」により留保されているため、受付台１０５側に備わる図示しない再呼び出し起動ボタンを押すことにより確実な「再呼び出し」が行える構成を有している（非特許文献１〜５を参照）。
【非特許文献１】ＩＥＴＦのＳＩＰに関連する勧告http://www.ietf.org/rfc/rfc3261.txt（ＲＦＣ３２６１  ＳＩＰ信号の基本勧告）
【非特許文献２】ＩＥＴＦのＳＩＰに関連する勧告http://www.ietf.org/rfc/rfc3515.txt（ＲＦＣ３５１５  ＳＩＰ信号のＲＥＦＥＲメソッドに関する勧告）
【非特許文献３】ＩＮＳネットサービスのインターフェース  第３分冊  付録１７「緊急電話の接続について」（ＮＴＴ東日本）http://www.ntt-east.co.jp/ISDN/tech/spec/3.5pdf/3-f17.pdf
【非特許文献４】既存固定網に備わっている機能http://www.zdnet.co.jp/broadband/0304/15/lp11.html
【非特許文献５】電気通信事業における重要通信の在り方に関する研究会（総務省）報告書  ６章（３）ＩＰ電話における緊急通報の確保http://www.soumu.go.jp/s-news/2003/030411 1.html
【発明の開示】
【発明が解決しようとする課題】
【０００８】
しかしながら、従来のＩＰ電話システムにおける緊急通報の接続においては、従来の加入電話網にて提供されてきた緊急通報と同等の機能を提供するまでには至っていない。ＩＰ電話システムにおいては、加入電話網の電話回線に相当する回線がＩＰ網上のセッションという論理的なリソースとしてのみ存在し、且つＩＰ電話端末によりセッションリソースの確立／開放が行われているため、ＩＰ電話システムのサーバ側システムでは、その回線／セッションのリソース管理が直接的には行えず、ＩＰ電話端末に指示を送ることのみが行われている。このため、既存の加入者電話網における緊急通報の際の「回線留保機能」や「再呼び出し機能」のような機能の提供は困難であった。
【０００９】
また、ＩＰ電話システムでは発信側にて切断が行われると、発信側端末でセッションが開放されてしまうため、発信側端末が切断後に別の新たなセッションの確立（発信側が新たに電話をかけること）などにより、緊急通報の受付台側から呼び返して接続を希望しても必ずしも接続（応答）できるとは限らなかった。
【００１０】
また、従来のＩＰ電話システムでは、ＩＰ電話中継サーバでは、信号を変換するような処理は行わず信号を透過的に転送しているため、ＩＰ電話端末（発信側）からの切断信号はＩＰ電話端末（受信側）へ到達し、切断処理が終了し、ＩＰ電話中継サーバがＩＰ電話端末（発信側）からの切断処理に介入することができなかった。
【００１１】
このような課題に鑑み、本発明は、発信側端末からの切断時に中継サーバからの指示による呼び返し処理を可能とし、ＩＰ電話端末の回線（セッション）リソースを中継サーバ側で確保でき、もって緊急通報に必要な「回線留保機能」や「再呼び出し機能」として発信側から通話を切れないようにすることが可能な、ＩＰ電話における呼び返しシステムおよび方法、プログラムおよび記録媒体を提供することを目的としている。
【課題を解決するための手段】
【００１２】
請求項１に記載の本発明は、ＩＰネットワーク上の複数のＩＰアドレス間で接続セッションを確立して通話を行うＩＰ電話の前記通話を切断した発信側を受信側が呼び返すためのＩＰ電話における呼び返しシステムであって、前記発信側と前記受信側のそれぞれのＩＰアドレス間に第１の接続セッションを確立するためのＩＰ電話中継サーバと、前記発信側からの切断要求信号の受信に基づき前記第１の接続セッションを留保するための接続セッション留保手段と、前記接続セッション留保手段の前記留保に基づいて前記受信側に対し前記発信側への発信指示を行う発信指示手段と、前記発信指示に基づく発信により前記受信側と前記発信側との間で新たに第２の接続セッションを確立し前記第１の接続セッションを切断するセッション切替手段と、前記受信側の切断要求信号に基づいて前記第２の接続セッションを切断するセッション切断手段と、を備える。
【００１３】
また、請求項２に記載の本発明は、ＩＰネットワークを介して通話を行うＩＰ電話より発信された通話を、加入電話回線網を介した通話を行う加入電話にて受信する通話において、前記通話を切断した前記発信側を前記受信側が呼び返すためのＩＰ電話における呼び返しシステムであって、前記ＩＰネットワークと前記加入電話回線網とを接続するための接続手段と、前記発信側のＩＰアドレスと前記接続手段との間に第１の接続セッションを確立するためのＩＰ電話中継サーバと、前記第１の接続セッションの確立に基づき前記接続手段と前記加入電話との接続回線を確保する回線確保手段と、前記発信側からの切断要求信号の受信に基づき前記第１の接続セッションを留保するための接続セッション留保手段と、前記接続セッション留保手段の前記留保に基づいて前記接続手段に対し前記発信側への発信指示を行う発信指示手段と、前記発信指示に基づく発信により前記接続手段と前記発信側との間で新たに第２の接続セッションを確立し前記第１の接続セッションを切断するセッション切替手段と、前記加入電話側の切断要求信号に基づいて前記接続回線と前記第２の接続セッションとを共に切断するセッション切断手段と、を備える。
【００１４】
また、請求項３に記載の本発明は、請求項２において、前記接続手段は、すくなくとも、前記ＩＰネットワークにて前記通話のための通話データを前記加入電話網に流通可能なデータ形式に変換して前記加入電話網へ接続するためのＩＰ電話メディア変換機と、前記ＩＰ電話メディア変換機から出力された前記データ形式を受信し前記加入電話網に流通させるための関門交換機と、から構成されている。
【００１５】
また、請求項４に記載の本発明は、ＩＰネットワーク上の複数のＩＰアドレス間で接続セッションを確立して通話を行うＩＰ電話の前記通話を切断した発信側を受信側が呼び返すためのＩＰ電話における呼び返し方法であって、前記発信側と前記受信側のそれぞれのＩＰアドレス間に第１の接続セッションを確立するためのＩＰ電話中継サーバにより前記第１の接続セッションを確立するステップと、前記発信側からの切断要求信号の受信に基づき前記第１の接続セッションを留保するための接続セッション留保手段により前記第１の接続セッションを留保するステップと、前記接続セッション留保手段の前記留保に基づいて前記受信側に対し前記発信側への発信指示を行う発信指示手段により前記受信側に対し前記発信側への前記発信指示を行うステップと、前記発信指示に基づく発信により前記受信側と前記発信側との間で新たに第２の接続セッションを確立し前記第１の接続セッションを切断するセッション切替手段により前記第２の接続セッションを確立し前記第１の接続セッションを切断するステップと、前記受信側の切断要求信号に基づいて前記第２の接続セッションを切断するセッション切断手段により前記第２の接続セッションを切断するステップと、を備える。
【００１６】
また、請求項５に記載の本発明は、ＩＰネットワークを介して通話を行うＩＰ電話より発信された通話を、加入電話回線網を介した通話を行う加入電話にて受信する通話において、前記通話を切断した前記発信側を前記受信側が呼び返すためのＩＰ電話における呼び返し方法であって、前記ＩＰネットワークと前記加入電話回線網とを接続するための接続手段により前記ＩＰネットワークと前記加入電話回線網とを接続するステップと、前記発信側のＩＰアドレスと前記接続手段との間に第１の接続セッションを確立するためのＩＰ電話中継サーバにより前記第１の接続セッションを確立するステップと、前記第１の接続セッションの確立に基づき前記接続手段と前記加入電話との接続回線を確保する回線確保手段により前記接続手段と前記加入電話との前記接続回線を確保するステップと、前記発信側からの切断要求信号の受信に基づき前記第１の接続セッションを留保するための接続セッション留保手段により前記第１の接続セッションを留保するステップと、前記接続セッション留保手段の前記留保に基づいて前記接続手段に対し前記発信側への発信指示を行う発信指示手段により前記受信側に対し前記発信側への前記発信指示を行うステップと、前記発信指示に基づく発信により前記接続手段と前記発信側との間で新たに第２の接続セッションを確立し前記第１の接続セッションを切断するセッション切替手段により前記第２の接続セッションを確立し前記第１の接続セッションを切断するステップと、前記加入電話側の切断要求信号に基づいて前記接続回線と前記第２の接続セッションとを共に切断するセッション切断手段により前記接続回線と前記第２の接続セッションとを共に切断するステップと、を備える。
【００１７】
また、請求項６に記載の本発明は、請求項５において、前記接続手段は、すくなくとも、前記ＩＰネットワークにて前記通話のための通話データを前記加入電話網に流通可能なデータ形式に変換して前記加入電話網へ接続するためのＩＰ電話メディア変換機により前記ＩＰネットワークと前記加入電話網とが前記接続されるステップと、前記ＩＰ電話メディア変換機から出力された前記データ形式を受信し前記加入電話網に流通させるための関門交換機により前記ＩＰ電話メディア変換機から出力された前記データ形式を受信し前記加入電話網に流通させるステップと、から構成されている。
【００１８】
また、請求項７に記載の本発明は、ＩＰネットワーク上の複数のＩＰアドレス間で接続セッションを確立して通話を行うＩＰ電話の前記通話を切断した発信側を受信側が呼び返すためのＩＰ電話における呼び返しプログラムであって、前記発信側と前記受信側のそれぞれのＩＰアドレス間に第１の接続セッションを確立するためのＩＰ電話中継サーバにより前記第１の接続セッションを確立するステップと、前記発信側からの切断要求信号の受信に基づき前記第１の接続セッションを留保するための接続セッション留保手段により前記第１の接続セッションを留保するステップと、前記接続セッション留保手段の前記留保に基づいて前記受信側に対し前記発信側への発信指示を行う発信指示手段により前記受信側に対し前記発信側への前記発信指示を行うステップと、前記発信指示に基づく発信により前記受信側と前記発信側との間で新たに第２の接続セッションを確立し前記第１の接続セッションを切断するセッション切替手段により前記第２の接続セッションを確立し前記第１の接続セッションを切断するステップと、前記受信側の切断要求信号に基づいて前記第２の接続セッションを切断するセッション切断手段により前記第２の接続セッションを切断するステップと、を備える。
【００１９】
また、請求項８に記載の本発明は、ＩＰネットワークを介して通話を行うＩＰ電話より発信された通話を、加入電話回線網を介した通話を行う加入電話にて受信する通話において、前記通話を切断した前記発信側を前記受信側が呼び返すためのＩＰ電話における呼び返しプログラムであって、前記ＩＰネットワークと前記加入電話回線網とを接続するための接続手段により前記ＩＰネットワークと前記加入電話回線網とを接続するステップと、前記発信側のＩＰアドレスと前記接続手段との間に第１の接続セッションを確立するためのＩＰ電話中継サーバにより前記第１の接続セッションを確立するステップと、前記第１の接続セッションの確立に基づき前記接続手段と前記加入電話との接続回線を確保する回線確保手段により前記接続手段と前記加入電話との前記接続回線を確保するステップと、前記発信側からの切断要求信号の受信に基づき前記第１の接続セッションを留保するための接続セッション留保手段により前記第１の接続セッションを留保するステップと、前記接続セッション留保手段の前記留保に基づいて前記接続手段に対し前記発信側への発信指示を行う発信指示手段により前記受信側に対し前記発信側への前記発信指示を行うステップと、前記発信指示に基づく発信により前記接続手段と前記発信側との間で新たに第２の接続セッションを確立し前記第１の接続セッションを切断するセッション切替手段により前記第２の接続セッションを確立し前記第１の接続セッションを切断するステップと、前記加入電話側の切断要求信号に基づいて前記接続回線と前記第２の接続セッションとを共に切断するセッション切断手段により前記接続回線と前記第２の接続セッションとを共に切断するステップと、を備える。
【００２０】
また、請求項９に記載の本発明は、請求項８において、前記接続手段は、すくなくとも、前記ＩＰネットワークにて前記通話のための通話データを前記加入電話網に流通可能なデータ形式に変換して前記加入電話網へ接続するためのＩＰ電話メディア変換機により前記ＩＰネットワークと前記加入電話網とが前記接続されるステップと、前記ＩＰ電話メディア変換機から出力された前記データ形式を受信し前記加入電話網に流通させるための関門交換機により前記ＩＰ電話メディア変換機から出力された前記データ形式を受信し前記加入電話網に流通させるステップと、から構成されている。
【００２１】
また、請求項１０に記載の本発明は、請求項７〜９のいずれかにおいて、前記ＩＰネットワーク上に配置されたサーバにインストールされて実行可能なことを特徴とする。
【００２２】
また、請求項１１に記載の本発明は、ＩＰネットワーク上の複数のＩＰアドレス間で接続セッションを確立して通話を行うＩＰ電話の前記通話を切断した発信側を受信側が呼び返すためのＩＰ電話における呼び返しプログラムを記録した記録媒体であって、前記発信側と前記受信側のそれぞれのＩＰアドレス間に第１の接続セッションを確立するためのＩＰ電話中継サーバにより前記第１の接続セッションを確立するステップと、前記発信側からの切断要求信号の受信に基づき前記第１の接続セッションを留保するための接続セッション留保手段により前記第１の接続セッションを留保するステップと、前記接続セッション留保手段の前記留保に基づいて前記受信側に対し前記発信側への発信指示を行う発信指示手段により前記受信側に対し前記発信側への前記発信指示を行うステップと、前記発信指示に基づく発信により前記受信側と前記発信側との間で新たに第２の接続セッションを確立し前記第１の接続セッションを切断するセッション切替手段により前記第２の接続セッションを確立し前記第１の接続セッションを切断するステップと、前記受信側の切断要求信号に基づいて前記第２の接続セッションを切断するセッション切断手段により前記第２の接続セッションを切断するステップと、を備えることを特徴とするＩＰ電話における呼び返しプログラムを記録する。
【００２３】
また、請求項１２に記載の本発明は、ＩＰネットワークを介して通話を行うＩＰ電話より発信された通話を、加入電話回線網を介した通話を行う加入電話にて受信する通話において、前記通話を切断した前記発信側を前記受信側が呼び返すためのＩＰ電話における呼び返しプログラムを記録した記録媒体であって、前記ＩＰネットワークと前記加入電話回線網とを接続するための接続手段により前記ＩＰネットワークと前記加入電話回線網とを接続するステップと、前記発信側のＩＰアドレスと前記接続手段との間に第１の接続セッションを確立するためのＩＰ電話中継サーバにより前記第１の接続セッションを確立するステップと、前記第１の接続セッションの確立に基づき前記接続手段と前記加入電話との接続回線を確保する回線確保手段により前記接続手段と前記加入電話との前記接続回線を確保するステップと、前記発信側からの切断要求信号の受信に基づき前記第１の接続セッションを留保するための接続セッション留保手段により前記第１の接続セッションを留保するステップと、前記接続セッション留保手段の前記留保に基づいて前記接続手段に対し前記発信側への発信指示を行う発信指示手段により前記受信側に対し前記発信側への前記発信指示を行うステップと、前記発信指示に基づく発信により前記接続手段と前記発信側との間で新たに第２の接続セッションを確立し前記第１の接続セッションを切断するセッション切替手段により前記第２の接続セッションを確立し前記第１の接続セッションを切断するステップと、前記加入電話側の切断要求信号に基づいて前記接続回線と前記第２の接続セッションとを共に切断するセッション切断手段により前記接続回線と前記第２の接続セッションとを共に切断するステップと、を備えることを特徴とするＩＰ電話における呼び返しプログラムを記録する。
【００２４】
また、請求項１３に記載の本発明は、請求項１２において、前記接続手段は、すくなくとも、前記ＩＰネットワークにて前記通話のための通話データを前記加入電話網に流通可能なデータ形式に変換して前記加入電話網へ接続するためのＩＰ電話メディア変換機により前記ＩＰネットワークと前記加入電話網とが前記接続されるステップと、前記ＩＰ電話メディア変換機から出力された前記データ形式を受信し前記加入電話網に流通させるための関門交換機により前記ＩＰ電話メディア変換機から出力された前記データ形式を受信し前記加入電話網に流通させるステップと、から構成されていることを特徴とするＩＰ電話における呼び返しプログラムを記録する。
【００２５】
また、請求項１４に記載の本発明は、請求項１１〜１３のいずれかにおいて、前記ＩＰネットワーク上に配置されたサーバにインストールされて実行可能なことを特徴とするＩＰ電話における呼び返しプログラムを記録する。
【発明の効果】
【００２６】
本発明によれば、発信側端末からの切断時に中継サーバからの指示による呼び返し処理を可能とし、ＩＰ電話端末の回線（セッション）リソースを中継サーバ側で確保でき、もって緊急通報に必要な「回線留保機能」や「再呼び出し機能」として発信側から通話を切れないようにすることが可能な、ＩＰ電話における呼び返しシステムおよび方法、プログラムおよび記録媒体を提供することができる。
【発明を実施するための最良の形態】
【００２７】
＜第１の実施の形態＞
本発明によるＩＰ電話における呼び返しシステムは、その特徴として、ＩＰ電話中継サーバにて、被切断側端末に対して、切断信号を発信した端末へ発信を行い切断信号が発せられた通話と置き換えることを指示する信号を送り、端末間で新たな通話を切断信号が発せられた通話と置き換えることで、擬似的に発信端末側からは切断できない電話をＩＰ電話中継サーバの仲介により実現している。
【００２８】
このような本発明のＩＰ電話における呼び返しシステムは、物理的なシステム構成に限定されるものではなく、そのＩＰ電話における呼び返し方法や、ＩＰ電話における呼び返し方法を実行するためのコンピュータプログラムや、このコンピュータプログラムを記録した記録媒体も技術的範疇に含む主旨である。
【００２９】
図１および図２に参照されるように、本発明のＩＰ電話における呼び返しシステムは、ＩＰ電話システムの呼接続処理を行うＩＰ電話中継サーバ２と、このＩＰ電話中継サーバ２に接続された呼管理記憶装置１６と、ＩＰ網１５を介して、発信側、および受信側の端末として、ＩＰ電話端末（発信側）４、ＩＰ電話端末（受信側）３で接続される構成で示される。また、ＩＰ電話中継サーバ２は、ＩＰ電話端末（発信側）４およびＩＰ電話端末（受信側）３との呼接続処理を仲介する。
【００３０】
次に、図２のシーケンスチャートを参照して、本実施の形態の全体の動作について詳細に説明する。まず、ＩＰ電話端末（発信側）４が、発信を行うためにＩＰ電話中継サーバ２に対して、「発信」信号を発信する（ステップＳ１）。
【００３１】
次に、ＩＰ電話中継サーバ２では、「発信」信号に含まれる接続先電話番号と、ＩＰ電話中継サーバ２内の記録装置に保存されている自動呼び返し対象電話番号とを比較し、自動呼び返し対象電話番号への発信であることを判断し、本発信呼について自動呼び返し指示状態にあることを呼管理記憶装置１６に記録した後、ＩＰ電話端末（受信側）３に対して、「発信」信号を中継する（ステップＳ２）。このようにして、発信先番号（着信端末の番号）から、自動呼び返し指示モードをスタートする。
【００３２】
「発信」信号を受け取ったＩＰ電話端末（受信側）３は、ＩＰ電話中継サーバ２を介して（ステップＳ３）、ＩＰ電話端末（発信側）４へ応答信号を返答して（ステップＳ４）、ＩＰ電話端末（発信側）４とＩＰ電話端末（受信側）３は通話が行える状態になる（通話）。
【００３３】
通話を行っている状態で、ＩＰ電話端末（発信側）４から切断するためにＩＰ電話中継サーバ２に対して、「切断」信号を発信する（ステップＳ５）。
【００３４】
ＩＰ電話端末（発信側）４から「切断」信号を受信したＩＰ電話中継サーバ２は、呼管理記憶装置１６の情報から、該当の呼が自動呼び出し指示状態にあることを判断し、「切断」信号を透過せずに、ＩＰ電話端末（発信側）４への発信を指示する「発信指示」信号をＩＰ電話端末（受信側）３に対して発信する（ステップＳ６）。このようにして、発信端末から切断が行われた場合に、着信端末側に発信指示を行うことで、着信端末から発信端末に即座に呼び返しをかける。
【００３５】
「発信指示」信号を受けたＩＰ電話端末（受信側）３は、「発信指示」信号に指示されるＩＰ電話端末（発信側）４に対して、ＩＰ電話中継サーバ２を仲介して（ステップＳ７）即座に新たな発信を行う（ステップＳ８）。
【００３６】
ステップ３の「発信指示」信号に従って、ＩＰ電話端末（受信側）３から「発信」信号を受けたＩＰ電話中継サーバ２では、自動呼び返し指示状態であることを再度記録し、ＩＰ電話端末（発信側）４に「発信」信号を転送する。
【００３７】
ＩＰ電話端末（発信側）４から、ＩＰ電話中継サーバ２を介して「応答」信号を受けたＩＰ電話端末（受信側）３では、ＩＰ電話端末（発信側）４とＩＰ電話端末（受信側）３の間で通話が行える状態になる。
【００３８】
引き続き、ＩＰ電話端末（受信側）３では、ＩＰ電話中継サーバ２に対して、「発信確認通知」１７の信号を発信し（ステップＳ９）、ＩＰ電話中継サーバ２より「発信指示」信号にて指示された発信が成功したことを連絡する（ステップＳ１０）。このようにして、ＩＰ電話中継サーバからの発信指示に基づいた発信が成功したことを通知する。
【００３９】
「発信確認通知」１７の信号を受信したＩＰ電話中継サーバ２では（ステップＳ１１）、ステップＳ３で受け取った「切断」信号に対応する「切断」信号をＩＰ電話端末（受信側）３に通知し（ステップＳ１２）、ＩＰ電話端末（受信側）３に残存するステップ１による元々の呼のセッションリソースを切断する。このようにして、ＩＰ電話中継サーバでは、旧い元々の回線（セッション）を開放する切断指示を送る。また、通話を終了する場合、ＩＰ電話端末（受信側）３は、ＩＰ電話中継サーバ２に「切断」信号を発信する（ステップＳ１３）。このようにして、着信端末から切断された場合に、自動呼び返し指示モードを解除する。
【００４０】
ＩＰ電話端末（受信側）３から「切断」信号を受けた、ＩＰ電話中継サーバ２では、自動呼び返し指示状態を解除し、ＩＰ電話端末（発信側）４に「切断」信号を転送する（ステップＳ１４）。「切断」信号を受けたＩＰ電話端末（発信側）４では、呼を開放して終了する。
【００４１】
このような本発明の第１の実施の形態によるＩＰ電話における呼び返しシステムは、ＩＰ電話端末（発信側）４が通話中の呼の切断を行っても、特定のＩＰ電話端末（受信側）３への通話であった場合には、ＩＰ電話の呼制御信号を中継するＩＰ電話中継サーバ２で、ＩＰ電話端末（発信側）４が発信した切断信号をＩＰ電話端末（受信側）３に伝送することなく、ＩＰ電話端末（受信側）３に対して、ＩＰ電話端末（発信側）４への発信要求信号を通知する。こうすることで、ＩＰ電話端末（発信側）４が切断動作を行うと、即座に、ＩＰ電話端末（受信側）３がＩＰ電話端末（発信側）４を呼び出すことが実行される自動呼び返し機能を提供することができる。
【００４２】
また本発明をＩＰ電話の一般的な呼処理信号であるＩＥＴＦのＲＦＣ３２６１（ＳＩＰ）およびその周辺勧告を用いて実現する場合、ＩＰ電話端末では、特に本発明に特化する機能盛り込みを必要としない点（ＩＥＴＦで標準化されているＲＦＣ３５１５のサポートは必要）が特徴的であり、ＩＰ電話中継サーバ２に対する機能追加によって本発明の機能を提供することが可能である。
【００４３】
＜第２の実施の形態＞
ＩＰ電話から、既存の加入電話回線網における緊急通報（ダイヤル１１０番による警察への通報、ダイヤル１１９番による消防への通報など）へ発信を行うには、既存の加入電話網が備える回線留保機能や再呼び出し機能をＩＰ電話との通話接続においても同様に実現させる必要がある。ＩＰ電話における、これらの回線留保機能や再呼び出し機能の代替手段として、本発明のＩＰ電話における呼び返しシステムを緊急通報へ適用する。発信側からの切断に対して、切断した発信者へ再呼び出しを行うためのシステムの構成を図３に示し、この図３に示した構成におけるシーケンスチャートを図４に示す。
【００４４】
まず、図３に示すように、電話端末６とＩＰ電話システムの呼処理信号であるＳＩＰ信号を終端するＩＰ電話アダプタ（ＶｏＩＰ−ＴＡ：Voice over Internet Protocol−Terminal Adapter）７が電話ケーブルで接続されて、図１にも示した発信側のＩＰ電話端末４を構成している。さらにＩＰ電話アダプタ７はＩＰ網２０に接続されており、論理的にＩＰ電話信号中継サーバ（Ｐｒｏｘｙ）２とＳＩＰ（Session Initiation Protocol）信号で接続され、且つＳＩＰ信号の手順に従い音声情報は、ＲＴＰ（Real-time Transport Protocol）信号としてＩＰ電話メディア変換機（ＰＳＴＮ−ＭＧＷ）９との接続が可能になっている。
【００４５】
ＩＰ電話信号中継サーバ（Ｐｒｏｘｙ）２は、さらにＩＰ網２０を介して、ＳＩＰ信号によりＩＰ電話信号変換サーバ（ＰＳＴＮ−ＧＷ）８と接続されている。このＩＰ電話信号変換サーバ（ＰＳＴＮ−ＧＷ）８では、内部でＳＩＰ信号とＩＳＵＰ（ISDN user part）信号のインターワーキングを行い、ＳＳ７（Signaling System No.7）ネットワークを介して、既存の加入電話網内の関門交換機（ＩＧＳ）１０に接続している。また、ＩＰ電話信号変換サーバ（ＰＳＴＮ−ＧＷ）８はまた、ＩＰ網２０を介してＩＰ電話メディア変換機（ＰＳＴＮ−ＭＧＷ）９を制御している。関門交換機（ＩＧＳ）１０は、既存の加入電話網１３を通じて加入者交換機（ＬＳ）１１と接続させている。
【００４６】
なお、既存の加入電話網内では、関門交換機（ＩＧＳ）と加入者交換機（ＬＳ）との間にいくつかの中継交換機が存在することが明白であるが、ここでの説明では手順としての信号シーケンスにいて中継交換機は中継のみ行うこととして、記載を略している。
【００４７】
また、ＩＰ電話メディア変換機（ＰＳＴＮ−ＭＧＷ）は、音声を伝える回線が関門交換機（ＩＧＳ）と接続されている。加入者交換機（ＬＳ）は緊急通報を受け付ける受付台１２と回線２１により接続されている。
【００４８】
次に、図４のシーケンスを参照して本実施の形態の全体の動作について詳細に説明する。なお、図４のシーケンス中に示されるステップＳ番号は、既に説明した図２に示されるステップＳとの対応を示したものである。
【００４９】
電話端末６が受話器を上げて（オフフック）、緊急通報の番号（ダイヤル１１０番、ダイヤル１１９番など）をダイヤルする。ＩＰ電話アダプタ７では、電話端末６からの上記指示に従い、ＩＰ電話中継サーバ（Ｐｒｏｘｙ）２に対して、発信（ＩＮＶＩＴＥ）を行う（ステップＳ１）。このときＩＰ電話中継サーバ（Ｐｒｏｘｙ）２では、１００Ｔｒｙｉｎｇの確認応答を戻す。
【００５０】
ＩＰ電話中継サーバ（Ｐｒｏｘｙ）２では、受け取ったＩＮＶＩＴＥ信号の接続先番号（ダイヤル１１０番、ダイヤル１１９番など）から緊急通報であることを判断し、該当の発信について、緊急通報である識別フラグを立てる。こうして緊急通報呼であるという認識がなされる。次にＩＰ電話中継サーバ（Ｐｒｏｘｙ）２は、発信（ＩＮＶＩＴＥ）信号をＩＰ電話信号変換サーバ（ＰＳＴＮ−ＧＷ）８に通知し、既存の加入電話網へ接続を行う（ステップＳ２）。
【００５１】
ＩＰ電話信号変換サーバ（ＰＳＴＮ−ＧＷ）８では、既存の加入電話網の関門交換機（ＩＧＳ）１０に対してＩＳＵＰ信号の発信（ＩＡＭ）信号を発信するとともに、ＩＰ電話中継サーバ（Ｐｒｏｘｙ）２に対して１００Ｔｒｙｉｎｇの確認応答を戻す。
【００５２】
次に、既存の加入電話網１３側では、関門交換機（ＩＧＳ）が受けた発信（ＩＡＭ）信号を緊急通報の受付台１２が接続される加入者交換機（ＬＳ）１１まで伝達し、加入者交換機（ＬＳ）１１は受付台に対して、発信信号を発信し、受付台１２を呼び出す。
【００５３】
受付台１２では呼び出しに応答し、応答信号を加入者交換機（ＬＳ）１１に伝達し、加入者交換機（ＬＳ）１１は加入電話網１３を中継して関門交換機（ＩＧＳ）１０へ、応答（ＡＮＭ）信号を伝達する。関門交換機（ＩＧＳ）１０は、ＩＰ電話信号変換サーバ（ＰＳＴＮ−ＧＷ）８に、応答（ＡＮＭ）信号を中継する。
【００５４】
応答（ＡＮＭ）信号を受けたＩＰ電話信号変換サーバ（ＰＳＴＮ−ＧＷ）８では、ＩＰ電話中継サーバ（Ｐｒｏｘｙ）２に応答（２００ ＯＫ）信号を発信する。（ステップＳ３）
応答（２００ ＯＫ）信号を受けたＩＰ電話中継サーバ（Ｐｒｏｘｙ）２では、ＩＰ電話アダプタ７に応答（２００ ＯＫ）信号を発信する。（ステップＳ４）
応答（２００ ＯＫ）信号を受けたＩＰ電話アダプタ７は、確認応答（ＡＣＫ）信号をＩＰ電話中継サーバ（Ｐｒｏｘｙ）２に返答し、ＩＰ電話中継サーバ（Ｐｒｏｘｙ）２は、ＩＰ電話信号変換サーバ（ＰＳＴＮ−ＧＷ）８に同確認応答（ＡＣＫ）信号を中継する。
【００５５】
上記で電話端末６は、通話リソースである通話セッションが成立し、受付台との間で緊急通報が為される。
【００５６】
次に電話端末６から切断（受話器を置く：オンフック）が行われると、ＩＰ電話アダプタ７は、切断（ＢＹＥ）信号をＩＰ電話中継サーバ（Ｐｒｏｘｙ）２に発信する。（ステップＳ５）このときにＩＰ電話アダプタ７では、通話リソースである通話セッションは開放されることになる。
【００５７】
ＩＰ電話中継サーバ（Ｐｒｏｘｙ）２では、切断（ＢＹＥ）信号に対する確認応答（２００ ＯＫ）をＩＰ電話アダプタ７に返答する。
【００５８】
また、ＩＰ電話中継サーバ（Ｐｒｏｘｙ）２では、受信した切断（ＢＹＥ）信号から、緊急通報である識別フラグが立っている呼に対して、発信側の端末からの切断であることが識別して、そのまま切断（ＢＹＥ）信号を透過中継することなく、ＩＰ電話信号変換サーバ（ＰＳＴＮ−ＧＷ）８に対して、発信指示（ＲＥＦＥＲ）信号を発信する。このときの発信指示（ＲＥＦＥＲ）信号は、上記切断（ＢＹＥ）信号を発信したＩＰ電話アダプタ７に対して発信を指示する内容になっている。（ステップＳ６）
ここで、ＩＰ電話中継サーバ（Ｐｒｏｘｙ）２では、ＩＰ電話アダプタ７が、緊急通報対する発信側切断が行われ、自動呼び返し処理が起動している状態であることを保持し、発信指示（ＲＥＦＥＲ）信号を発信した先からの発信指示（ＲＥＦＥＲ）信号に基づくＩＰ電話アダプタ７の呼び出し（もしくは切断で、ここではステップＳ７の処理）以外の処理を抑制する。上記発信指示（ＲＥＦＥＲ）信号を受けたＩＰ電話信号変換サーバ（ＰＳＴＮ−ＧＷ）８では、受け入れ（２０２Ａｃｃｅｐｔｅｄ）信号をＩＰ電話中継サーバ（Ｐｒｏｘｙ）２へ返答し、発信指示（ＲＥＦＥＲ）信号に基づいて発信動作に入る。
【００５９】
その後、ＲＦＣ３５１５に示されるＲＥＦＥＲの手順に従って、ＩＰ電話信号変換サーバ（ＰＳＴＮ−ＧＷ）８は、ＩＰ電話中継サーバ（Ｐｒｏｘｙ）２に状態通知（ＮＯＴＩＦＹ）信号を発信し、また、ＩＰ電話アダプタ７を呼び出すために、発信（ＩＮＶＩＴＥ）信号をＩＰ電話中継サーバ（Ｐｒｏｘｙ）２に送る（ステップＳ７）。発信（ＩＮＶＩＴＥ）信号を受けたＩＰ電話中継サーバ（Ｐｒｏｘｙ）２では、ＩＰ電話アダプタ７に発信（ＩＮＶＩＴＥ）信号を発信する（ステップＳ８）。
【００６０】
なおこのとき、ＩＰ電話中継サーバ（Ｐｒｏｘｙ）２では、ステップＳ１，２で緊急通報である識別フラグを立てた呼の識別をステップＳ７，８の呼に変更し、緊急通報として再管理を行う。
【００６１】
発信（ＩＮＶＩＴＥ）信号を受けたＩＰ電話アダプタ７は、電話端末６を呼び出し状態（Ｒｉｎｇｉｎｇ）にして、ユーザに通知する。
【００６２】
電話端末６が、呼び返しに応答する（受話器を上げる；オンフックする）と、ＩＰ電話アダプタ７から、ＩＰ電話中継サーバ（Ｐｒｏｘｙ）２を中継してＩＰ電話信号変換サーバ（ＰＳＴＮ−ＧＷ）８に応答（２００ ＯＫ）信号を発信する（ステップＳ９、１０）。
【００６３】
通話が再確立された後、ＩＰ電話信号変換サーバ（ＰＳＴＮ−ＧＷ）８では、ＲＦＣ３５１５に示されるＲＥＦＥＲの手順に従って、ＩＰ電話中継サーバ（Ｐｒｏｘｙ）２に状態通知（ＮＯＴＩＦＹ）信号を発信し、ステップＳ６の発信指示（ＲＥＦＥＲ）信号に基づいた発信が成功裏に終了したことを伝達する（ステップＳ１１）。
【００６４】
ステップＳ１１の状態通知（ＮＯＴＩＦＹ）信号を受信したＩＰ電話信号変換サーバ（ＰＳＴＮ−ＧＷ）８では、不要となっているステップＳ２の発信（ＩＮＶＩＴＥ）信号で用意されているリソースを開放し、ＩＰ電話信号変換サーバ（ＰＳＴＮ−ＧＷ）８へ切断（ＢＹＥ）信号を送る（ステップＳ１２）。
【００６５】
上記ステップＳ１２の切断（ＢＹＥ）信号を受けたＩＰ電話信号変換サーバ（ＰＳＴＮ−ＧＷ）８では、ステップＳ２の発信（ＩＮＶＩＴＥ）で用意されている不要なリソースを開放する。その後、受付台からの切断が行われた場合、既存の加入電話網からの切断信号がＩＰ電話信号変換サーバ（ＰＳＴＮ−ＧＷ）８に送られてくるので、ＩＰ電話信号変換サーバ（ＰＳＴＮ−ＧＷ）８は、ＩＰ電話中継サーバ（Ｐｒｏｘｙ）２に切断（ＢＹＥ）信号を発信し（ステップＳ１３）、該当の回線を開放し、初期状態に戻る。
【００６６】
上記ステップＳ１３の切断（ＢＹＥ）信号を受けたＩＰ電話中継サーバ（Ｐｒｏｘｙ）２では、該当の呼の管理を終了し緊急通報である識別フラグを削除し、ＩＰ電話アダプタ７へ対して、切断（ＢＹＥ）信号を中継する（ステップＳ１４）。
【００６７】
上記ステップＳ１４の切断（ＢＹＥ）信号を受けたＩＰ電話アダプタ７では、電話端末６に対して終話状態を伝達（ＢＴ音の送出など）し、ＢＹＥに対する応答（２００ ＯＫ）信号を返答し初期状態に戻る。
【００６８】
以上説明した本発明の実施の形態によれば、発信側端末からの切断時に中継サーバからの指示により自動的に呼び返し処理が行われることにより、再接続機能を提供することができる。これは、ＩＰ電話システムにおいて、既存の加入電話網の回線留保の代わりにＩＰ電話システムにおいてＩＰ電話端末の回線（セッション）リソースを即座にサーバ側の意図により確保するためである。このような構成を適用することで、既存の加入電話網において緊急通報の際に実現されている「回線留保機能」「再呼び出し機能」の代替手段をＩＰ電話に提供することができる。
【００６９】
また、ＩＰ電話システムと既存の加入電話網が接続されたモデル網での、ＩＰ電話システム側の端末から、緊急通報を行った場合に、ＩＰ電話端末側から切断した場合、該当端末の発着信抑制と、即座に自動で呼び返されるシステムが構築でき、既存の加入電話網での緊急通報で行われている回線留保、再呼び出しの代用としての適用を実現することができる。
【図面の簡単な説明】
【００７０】
【図１】本発明のＩＰ電話における呼び返しシステムおよび方法、プログラムおよび記録媒体の実施の形態に係る、ＩＰ電話システムを説明するための構成図を示す。
【図２】本発明のＩＰ電話における呼び返しシステムおよび方法、プログラムおよび記録媒体の実施の形態に係る、ＩＰ電話システムによる呼び返しの制御シーケンスを説明するためのシーケンスチャートを示す。
【図３】本発明のＩＰ電話における呼び返しシステムおよび方法、プログラムおよび記録媒体の実施の形態に係る、ＩＰ電話システムと既存の加入電話網との接続構成を説明するための構成図を示す。
【図４】本発明のＩＰ電話における呼び返しシステムおよび方法、プログラムおよび記録媒体の実施の形態に係る、ＩＰ電話システムと既存の加入電話網との接続構成による接続シーケンスを説明するためのシーケンスチャートを示す。
【図５】従来技術による電話回線網を説明するための構成図を示す。
【図６】従来技術による電話回線網での緊急通報を説明するための説明図を示す。
【符号の説明】
【００７１】
１  ＩＰ電話システム
２  ＩＰ電話中継サーバ
３  ＩＰ電話端末（受信側）
４  ＩＰ電話端末（発信側）
５  論理的接続セッション
６  電話端末
７  ＩＰ電話アダプタ
８  ＩＰ電話信号変換サーバ
９  ＩＰ電話メディア変換機
１０  関門交換機
１１  加入者交換機
１２  受付台
１３  既存の加入電話網
２０  ＩＰ網
２１  電話回線
１００、１０４  加入電話端末
１０１、１０３  加入者交換機
１０２  中継交換機
１０５  受付台
１１０  電話回線
【図１】
2005286638.tif 000003
【図２】
2005286638.tif 000004
【図３】
2005286638.tif 000005
【図４】
2005286638.tif 000006
【図５】
2005286638.tif 000007
【図６】
2005286638.tif 000008